(57)【要約】【課題】左右の脚部をいずれかでも折り畳めるようにし、破損事故を防ぐ。【解決手段】台板１の左右両端部に、ブラケット５をそれぞれ前後方向の軸を支点として回転可能に取付ける。このブラケット５に、脚部９の基端部を同じく前後方向の軸を支点として回転可能に取付ける。中間で屈曲可能な斜材１３は、台板１の裏面から脚部９まで渡し、脚部９側で着脱自在とする。【作用】後に折り畳んだ脚部９は、脚部９の基端部の回転とともに、そのブラケット５も回転し、脚部９が先に折り畳んだ脚部９の厚み分浮き上がり、両脚部とも台板１と平行に重ねて折り畳み可能で、左右いずれからでも折り畳める。斜材１３は台板１の中間部を支え、折り畳んだときは支障とならない。【選択図】      図４
2004324126.tif 000002
【特許請求の範囲】
【請求項１】
台板の左右両端部に、台板の前後方向の軸を支点として回転可能なブラケットをそれぞれ取付け、そのブラケットの当該支点から離隔した位置に各々台板の前後方向の軸を支点として回転可能に脚部の基端部を取付け、両脚部は、ブラケットに対して回転して折り畳むとともに、後から折り畳む左右いずれか一方の脚部を取付けたブラケットが、その軸を支点として回転してなる左右いずれからも折り畳み可能な台座。
【請求項２】
台板に取付けるブラケットは、台板の前後方向に連続しており、その両端部が台板の前後方向両端部に軸止めされて、中間部は台板の裏面に当接可能となっており、脚部の基端部が当該ブラケットの中間部に当接して回転可能に取付けられていることを特徴とする請求項１記載の左右いずれからも折り畳み可能な台座。
【請求項３】
裏面側の左右方向に梁状の補強材を配した台板の左右両端部には、台板の前後方向の軸を支点として回転可能なブラケットをそれぞれ取付け、そのブラケットの当該支点から離隔した位置に各々台板の前後方向の軸を支点として回転可能に脚部の基端部を取付け、台板の左右中間部には、中間部で屈曲可能な斜材の一端部をそれぞれ回転可能に軸止めし、その斜材の他端部は脚部に着脱可能とし、脚部を折り畳む際に斜材を脚部から外すとともに、その中間部にて屈曲して台板裏面の補強材の厚み内に収納し、両脚部は、ブラケットに対して回転して折り畳むとともに、後から折り畳む左右いずれか一方の脚部を取付けたブラケットが、その軸を支点として回転してなる左右いずれかからも折り畳み可能な台座。
【発明の詳細な説明】
【０００１】
【発明の属する技術分野】
この発明は建設現場や工場などで足場として使用される台座に関するものであり、運搬時や収納時には脚部を折り畳むことができる台座であって、特に左右の脚部の折り畳みを特定の順序なくいずれからでも折り畳むことが可能な左右いずれからも折り畳み可能な台座に関するものである。
【０００２】
【従来の技術】
建設現場や工場などにおいて、仮設の足場として使用する台座が広く知られている。このような台座は、運搬や収納時には脚部を折り畳み可能なものが一般的であって、左右に開く脚部を台板（天板）に沿わすよう折り畳んで、コンパクトにするものである。例えば図９〜図１１に示すような台座であると、台板ａの左右両端部に回転可能にピンｄ・ｄによって軸止めされて梯子状の脚部ｂ・ｂが取付けられており、それら脚部を台板ａから伸びる斜めの斜材ｃ・ｃによって支えている。
【０００３】
【発明が解決しようとする課題】
このような台座における課題は、左右の脚部ｂ・ｂの折り畳み順序があるということである。図１０に示すように、左右の脚部ｂ・ｂを台板ａにぴったりと沿わして折り畳むには、いずれか一方の脚部ｂの台板ａからその軸ｄまでの高さｈ１よりも、他方の脚部ｂの台板ａからその軸ｄまでの高さｈ２を高くしなければならない。つまり図における左の脚部ｂをまず折り畳んで台板ａに沿わし、次に他方の脚部ｂを折り畳むには、先に畳んだ脚部ｂの厚み分だけ高さｈ２が高くなければ、左右両脚部ｂ・ｂを収まりよく折り畳むことができないからである。この順序を逆にして折り畳めば、図１１に示すように後に折り畳んだ脚部ｂが先に折り畳んだ脚部ｂにつっかえてしまっうことになって収まりよく折り畳むことはできない。
【００００４】
この他、左右両脚部を折り畳み可能にした台座では、先に折り畳んだ方の脚部につっかえないように、後に折り畳む方の脚部をいくらか屈曲して先に折り畳んだ脚部の厚み分台板から浮かせる方法などもあるが、どのような方法であっても、仕様書に従った折り畳み順序を守ることが要求されていた。つまり脚部の厚み分浮き上がるよう工夫をした方の脚部を、必ず後に折り畳む必要があるからである。しかしながら、実際の現場では仕様書に基づいた折り畳み順序を必ずしも守らずに、順序を逆にして折り畳み、収まりの悪さを作業員が無理矢理力で押しつけるなどして収め、結局台座を破損してしまうことがしばしばあった。
【０００５】
また、図に示すような従来の台座は、脚部ｂ・ｂがピンｄ・ｄによって軸支されており、脚部ｂ・ｂと台板ａがピンｄ・ｄのみによって接続している。荷重はこのピンｄ・ｄに集中するもので、この部分が破損し易かった。
【０００６】
この発明で解決しようとする他の課題は、脚部を支える斜めの斜材ｃ・ｃが、台板ａの左右中央にまで伸びておらず、台板ａ中央にかかる荷重を、台板ａの強度だけで支えているということである。台板ａを支えるために、この斜材ｃ・ｃを台板ａの左右中央まで伸ばせばいいのであるが、斜材ｃ・ｃを長くすると脚部ｂ・ｂを折り畳む前に斜材ｃ・ｃを如何に収まりよく折り畳むかという課題が生ずる。つまりは、短ければ収まりよくするのは容易であるが、長くなればそれだけ脚部ｂ・ｂの下に収まりよく折り畳むのは難しい。
【０００７】
【課題を解決するための手段】
この発明にかかる左右いずれからでも折り畳み可能な台座は、台板の左右両端にブラケットを軸止めし、左右脚部をこのブラケットに回転可能に取付け、脚部の厚み分をブラケットの回転によって台板から離すことによって左右いずれからでも折り畳めるようにし、脚部と台板に跨る斜材は、中間部で屈曲して台板下面の補強材の厚み内に収納することによって以上の課題を解決するものである。
【０００８】
【発明の実施の形態】
この発明にかかる左右いずれからでも折り畳み可能な台座は、折り畳む左右の脚部を台板の左右に回転可能に取付けたブラケットに取付けるものである。台板としては様々なものが使用できるが、鉄やアルミニウムなどの金属製のデッキプレート状などが採用でき、通常は断面四角形の角パイプなどによって方形に枠組みしたものにプレートを張ったものなどが使用できる。台板の裏面、すなわち使用するとき下側となる面には、補強のために長手方向に梁状の補強材を単数若しくは複数本配したものが採用できる。この補強材も断面四角形の角パイプが使用できる。
【０００９】
台板の長手方向、これを取り敢えず左右方向とすると、その左右両端部に、ブラケットを取付ける。ブラケットは、台板の左右方向に対して直交する前後方向の軸を支点として回転可能に取付ける。ブラケットは、台板の左右両端部の前後に別体のものを取付けてもよいが、一体もののブラケットを台板の両端部にそれぞれ取付けてもよい。すなわち両端を屈曲して断面コ字形としたブラケットのその両端を、台板の前後にて台板の前後方向の軸によって軸止めして回転可能とする。ブラケットが回転するとき、中間部は台板の裏面、すなわち台座を立てたとき下側となる面に近接離隔可能となる。
【００１０】
このブラケットに、前記した軸とは離隔した位置にて、脚部をそれぞれ回転可能に軸支する。脚部としては様々なものが採用可能であるが、例えば丸パイプを梯子状に溶接した脚部などが使用でき、その基端に位置する丸パイプをそのまま軸として、脚部を回転可能に取付けることが可能である。Ｕ字形などに折り曲げた取付け具などによって、この軸となった丸パイプをブラケットの中間部に接触した状態で回転可能に取り付けることができる。脚部の取付け方法はこれに限定されず、脚部の基端部にブラケットからピンなどを貫通させ、このピンを軸として回転可能としてもよい。脚部は下部が伸縮可能で、台座の高さ調整可能なものであってもよいのは勿論である。
【００１１】
台座を立脚したとき、脚部を固定する手段として、台板から脚部に斜めに伸びる斜材を採用できる。斜材としては断面方形の角パイプなどが採用できる。斜材の一端は、台板の長手方向、ずなわち左右方向の中間部であって、台板の裏面にある補強材に軸止めして回転可能とする。台板の中間部に一端を取付けることにより、斜材が最も荷重がかかる台板中間部を支えることができる。斜材の他端部は脚部のいずれかに着脱自在に取り付け可能とする。斜材の中間部はピンなどによって連結して、屈曲可能となっている。台座を折り畳むとき、脚部から斜材を外し、その中間を屈曲して台板の補強材に沿って、その補強材の厚み以内に収める。このように収めることによって、長い斜材であっても、脚部の折り畳みに支障なく収めることができる。
【００１２】
脚部は左右いずれかを任意に、脚部の基端部を軸止めした軸を支点として回転して折り畳む。次に他方の脚部を折り畳むが、脚部の基端部を支点として回転するとともに、ブラケットは台板に取付けた軸を支点として回転する。ブラケットが回転することによって、脚部の基端部が台板裏面から浮き上がり、先に折り畳んだ脚部の厚み分脚部の基端部が台板から離隔し、左右の脚部が無理なく収まりよく折り畳むことができる。このような折り畳み手順は、他方の脚部を先に折り畳んでも同じであり、いずれかの脚部を先に折り畳まねばならないという順序を無くすこととなった。
【００１３】
本件出願では、ブラケットという部材名を採用して記載してきたが、既成のブラケットという概念にとらわれず、台板と、その台板の前後方向の軸によって回転可能となった脚部との間に、同じく台板の前後方向の軸によって取付けられた部材を介在させたことが要旨であって、形状や構造を問わず、その部材をブラケットと取り敢えず呼称したものである。すなわち、左右の脚部がそれぞれ台板の前後方向と平行な二本の軸の二点を介して取付けられ、後から折り畳む方の脚部がその二支点の回転によって台板から浮き上がることがあれば、本願発明に含まれるものである。
【００１４】
【実施例】
以下、図に示す実施例に基づきこの発明を説明する。図において１は台板であって、鋼製のプレート２が、長方形に枠組みした補強材である角パイプ３に張ってある。この台板１の長手方向を左右方向、それに直交する短手方向を前後方向とする。方形の枠組みの中には、長手方向に渡って梁状の補強材４が複数本渡してある。この台板１の左右両端部に、それぞれブラケット５・５が取付けられている。ブラケット５としては、両端を屈曲して断面コ字形にしたものを使用しており、この両端部６・６が台板１の前後にて貫通するピン８・８を軸として台板１の外縁の補強材３に回転可能に取付けられている。ブラケット５がピン８・８を支点として回転するとき、その中間部７は台板１の裏面に接触し、離隔する。
【００１５】
ブラケット５には脚部９がそれぞれ回転可能に軸支されている。脚部９としては、丸パイプを梯子状に組んだものが使用され、台板１側に取付ける側を基端部とし、立脚したとき着地する側には伸縮して台板１の高さを調節可能な伸縮部１０が取付けられている。脚部１は、その基端部にある丸パイプ１１を軸としてブラケット５に軸支するもので、この丸パイプ１１をブラケット５の中間部に接触させて台板１の前後方向に配し、Ｕ字状の取付け具１２・１２によってブラケット５に取付けてある。台座を立脚したとき、ブラケット５・５はそれぞれ台板１裏面側に接触し、脚部９・９の基端部の丸パイプ１１もブラケット５・５の裏面側に接触している。荷重が作用したとき、荷重はブラケット５・５の中間部７・７の面接触で受け、更に丸パイプ１１・１１の線接触で受けることになる。つまり荷重がピンなどの軸に集中することなく、破損し難くなる。
【００１６】
台座を立脚したとき台板１の下側となる裏面には、斜材１３・１３が取付けられている。斜材１３は二本の角パイプをピン１４によって軸止することにより成っており、ピン１４を支点として屈曲可能となっている。斜材１３の屈曲部分は、図６に示すように、断面コ字形のブラケット１８に取付けられたピン１７によって固定可能となっている。斜材１３を真っ直ぐにした時、このブラケット１８によって屈曲部分の回転止めをする。斜材１３の一端は台板１裏面の補強材４の側面にピンによって回転可能に軸止めされている。二本の斜材１３・１３は補強材４を間にして、その両側面にそれぞれ取付けられている。他端は脚部９のいずれかにピン１６によって着脱自在となっている。二本の斜材１３・１３は台板１から左右脚部９・９へクロスして脚部９・９にかける。斜材１３・１３は既に述べたように、補強材１４を間にして数十ミリ離隔している。斜材１３の交叉角度を決定するため、実施例では、図７及び図８に示すように、互いに相手の側へ突出するＬ形の引掛片１９がそれぞれ取付けられている。斜材１３・１３を伸ばして交叉させたとき、この引掛片１９・１９が噛み合うように引っ掛かって、斜材１３・１３の交叉角度が決定する。
【００１７】
以上のような構成を有する台座の折り畳み作業について説明する。図２に示すように台座を逆さにして台板１を下にし、脚部９・９から斜材１３・１３を離脱し、斜材１３・１３をピン１４・１４で屈曲して折り畳む。折り畳んだ斜材１３・１３は、台板１裏面の補強材４に沿わして、その厚み以内に収める。次に左右いずれの脚部９・９のうち、任意の一方の脚部９を、丸パイプ１１を支点として回転して折り畳む。次に他方の脚部９を回転すると、丸パイプ１１を支点として回転するとともに、図３及び図４に示すように、ブラケット５がピン８を支点として回転し、脚部９の基端にある丸パイプ１１が台板１裏面から浮き上がり、先に折り畳んだ脚部９の厚み分台板１裏面から離隔し、両脚部９・９とも台板１と平行に沿わして折り畳むことが可能である。脚部９・９の折り畳み順序を逆にしても、同様に折り畳みことが可能である。
【００１８】
【発明の効果】
この発明は以上のような構成を有し、以下の効果を得ることができる。
▲１▼脚部は二つの支点を介してそれぞれ回転可能に台板に取付けられており、後に折り畳んだ脚部が、台板から先に折り畳んだ脚部の厚み分浮き上がり、左右いずれを先にしても折り畳むことが可能となり、面倒な折り畳み順序などは無くなり、折り畳み作業が極めて容易となる。
▲２▼いずれの脚部を先に折り畳んでも、先に畳んだ脚部の厚みを後の脚部が浮き上がり、両脚部とも台板と平行に折り畳むことができ、脚部を無理矢理収めようと折り畳むことは起り得ない。したがって台座の破損事故が著しく減少する。
▲３▼中間部が台板の裏面に接触可能なようにブラケットを軸支し、このブラケットに脚部の基端部が接触して回転可能に取付けることによって、荷重がブラケットの中間部から脚部の基端部を通じて伝わるため、軸にのみ荷重が集中することなく、破損が生じ難くなる。
▲４▼台座の中間部の裏面側と脚部との間に斜材をかけたため、最も大きな強度を必要とする台板中間部を斜材が支え、台板の強度を斜材によって補強することができる。
▲５▼斜材を台板裏面側の補強材に沿わせて折り畳み、補強材の厚みの中に収めることにより、脚部の折り畳みの支障となることがない。
【図面の簡単な説明】
【図１】台座を立脚した状態の斜視図である。
【図２】斜材を折り畳む状態の斜視図である。
【図３】脚部を折り畳んだ状態の正面図である。
【図４】図４の一部拡大図である。
【図５】台板とブラケットと脚部基端部の連結を示す斜視図である。
【図６】斜材の屈曲部分の拡大斜視図である。
【図７】斜材の交叉部分の斜視図である。
【図８】斜材の交叉部分の平面図である。
【図９】従来の台座の正面図である。
【図１０】脚部を正しく折り畳んだ従来の台座の正面図である。
【図１１】順序を間違えて脚部を折り畳んだ従来の台座の正面図である。
【符号の説明】
１    台板
２    プレート
３    補強材
４    補強材
５    ブラケット
６    両端部
７    中間部
８    ピン
９    脚部
１０  伸縮部
１１  丸パイプ
１２  取付け具
１３  斜材
１４  ピン
１６  ピン
１７  ピン
１８  ブラケット
１９  引掛片
【図１】
2004324126.tif 000003
【図２】
2004324126.tif 000004
【図３】
2004324126.tif 000005
【図４】
2004324126.tif 000006
【図５】
2004324126.tif 000007
【図６】
2004324126.tif 000008
【図７】
2004324126.tif 000009
【図８】
2004324126.tif 000010
【図９】
2004324126.tif 000011
【図１０】
2004324126.tif 000012
【図１１】
2004324126.tif 000013